(57)【要約】【課題】  弁体の連通孔を通して入口から出口へ流下する流量を調節することができるばね付勢逆止弁を提供する。【解決手段】  入口部材２と出口部材４からなる弁ケーシングで入口１と出口３を形成する。入口１と出口３の間に環状弁座５を設け、環状弁座５の出口３側に弁体６をばね付勢して離着座自在に配置する。ばね付勢した弁体６に入口１と出口３を連通する連通孔１２を設け、連通孔１２に対向して補助弁体７を離着座自在に配置する。補助弁体７を弁体６の連通孔１２側に付勢する補助付勢ばね１４を配置する。開口面積の異なる複数の小連通孔１７ａ，１７ｂ，１７ｃ，１７ｄを有し所望の小連通孔を連通孔１２に対面させて弁体６に取り付けられる流量調節部材１５を設ける。【選択図】 図１
2010144754.tif 000002
【特許請求の範囲】
【請求項１】
弁ケーシングで入口と出口を形成し、入口と出口の間に環状弁座を設け、環状弁座の出口側に弁体をばね付勢して離着座自在に配置し、ばね付勢した弁体に入口と出口を連通する連通孔を設け、連通孔に対向して補助弁体を離着座自在に配置し、補助弁体を弁体の連通孔側に付勢する補助付勢ばねを配置したものにおいて、開口面積の異なる複数の小連通孔を有し所望の小連通孔を連通孔に対面させて弁体に取り付けられる流量調節部材を設けたことを特徴とするばね付勢逆止弁。
【発明の詳細な説明】
【技術分野】
【０００１】
本発明は液体や気体などの流体配管に取り付けて、内部に設けたばね付勢弁体により流体の入口から出口への順方向の流れは許容するが、その逆方向すなわち出口から入口への流れは阻止する逆止弁に関し、特に通過流量が少ない場合であっても比較的多くの流量を流下することのできるばね付勢逆止弁に関する。
【背景技術】
【０００２】
従来のばね付勢逆止弁は特開平１０−２８８２６６号公報に示されている。これは、弁ケーシングで入口と出口を形成し、入口と出口の間に環状弁座を設け、環状弁座の出口側に弁体をばね付勢して離着座自在に配置し、ばね付勢した弁体に入口と出口を連通する連通孔を設け、連通孔に対向して補助弁体を離着座自在に配置し、補助弁体を弁体の連通孔側に付勢する補助付勢ばねを配置したものである。入口からの流量が少ない場合、ばね付勢された弁体は弁座に着座したままで開弁することはないが、弁体の連通孔に対向して取り付けた補助弁体は、少ない流量でも補助付勢ばねのばね力に抗して連通孔から離座して連通孔を開口することにより、入口から出口へ流体が流下することができる。入口からの流量が増加すると着座していた弁体も弁座から離座して、弁体の連通孔から流下しきれない流体を出口へ流下させる。入口側に比較して出口側の流体圧力が高くなると、出口側の流体が入口側へ逆流しようとするが、補助付勢ばねで付勢された補助弁体が連通孔を閉止すると共に、ばね付勢された弁体が弁座に着座することにより、入口側への流体の逆流は防止される。
【０００３】
上記従来のばね付勢逆止弁は、弁体の連通孔を通して入口から出口へ流下する流量を調節することができないという問題点があった。
【特許文献１】特開平１０−２８８２６６号公報
【発明の開示】
【発明が解決しようとする課題】
【０００４】
解決しようとする課題は、弁体の連通孔を通して入口から出口へ流下する流量を調節することができるばね付勢逆止弁を提供することである。
【課題を解決するための手段】
【０００５】
本発明は、弁ケーシングで入口と出口を形成し、入口と出口の間に環状弁座を設け、環状弁座の出口側に弁体をばね付勢して離着座自在に配置し、ばね付勢した弁体に入口と出口を連通する連通孔を設け、連通孔に対向して補助弁体を離着座自在に配置し、補助弁体を弁体の連通孔側に付勢する補助付勢ばねを配置したものにおいて、開口面積の異なる複数の小連通孔を有し所望の小連通孔を連通孔に対面させて弁体に取り付けられる流量調節部材を設けたものである。
【発明の効果】
【０００６】
本発明のばね付勢逆止弁は、所望の流量が得られる小連通孔を連通孔に対面させて流量調節部材を弁体に取り付けることにより、弁体の連通孔を通して入口から出口へ流下する流量を小連通孔により調節することができるので、弁体の連通孔を通して入口から出口へ流下する流量を調節することができるばね付勢逆止弁を提供することができるという優れた効果を生じる。
【発明を実施するための最良の形態】
【０００７】
本発明は、開口面積の異なる複数の小連通孔を有し所望の小連通孔を連通孔に対面させて弁体に取り付けられる流量調節部材を設けたものである。そのため、所望の流量が得られる小連通孔を連通孔に対面させて流量調節部材を弁体に取り付けることにより、弁体の連通孔を通して入口から出口へ流下する流量を小連通孔により調節することができる。
【実施例１】
【０００８】
上記の技術的手段の具体例を示す実施例を説明する（図１と図２参照）。図１において、入口１を設けた入口部材２と出口３を設けた出口部材４、入口１と出口３の間に設けた環状弁座５、環状弁座５の出口３側に配置した平板状の弁体６、及び、弁体６の更に出口３側に配置した平板状の補助弁体７とでばね付勢逆止弁を構成する。入口部材２と出口部材４で弁ケーシングを形成し、内部に弁室８を形成し、入口部材２の弁室８側端部に環状弁座５を取り付ける。環状弁座５は通過する流体の種類に応じて合成ゴムや合成樹脂、あるいは、銅系やステンレス系の金属材料で製作し、弁室８内に配置した平板状の弁体６と一端側のシール面を当接させる。
【０００９】
弁体６は弁室８内を左右に摺動可能なように弁室８の内径よりも僅かに小さい径の複数のリブ９を設け、出口３側に取り付けたばね受け１０との間に付勢手段としてのコイルばね１１を圧縮状態で配置する。従って、弁体６はコイルばね１１のばね力により環状弁座５側へ常時付勢されている。弁体６の中央部に入口１と出口３を連通する連通孔１２を設け、連通孔１２の出口３側に対向して補助弁体７を配置する。補助弁体７は、連通孔１２を覆うことのできる大きさの平板で、環状弁座５と同様に合成ゴムや合成樹脂、あるいは金属材料で製作する。補助弁体７の出口３側にも付勢手段としてのコイルばね１４をばね受け１０との間に圧縮状態で配置して、常時補助弁体７を弁体６の連通孔１２側に付勢させる。
【００１０】
弁体６と補助弁体７をそれぞれコイルばね１１，１４で入口１側へ付勢しているが、コイルばね１１，１４のばね強さは、補助弁体７を付勢するコイルばね１４の方が、弁体６を付勢するコイルばね１１よりも、ばね定数を小さなものとして、入口１からの流体圧力によって最初に補助弁体７が連通孔１２を開口し、続いて入口１からの流体圧力が所定値まで上昇して弁体６が環状弁座５から離座して開弁するように形成する。弁体６の入口１側面に平板状の流量調節部材１５を止ネジ１６で取り付ける。図２において、流量調節部材１５は、円周上に開口面積の異なる４個の小連通孔１７ａ，１７ｂ，１７ｃ，１７ｄを有する。小連通孔の開口面積は１７ａ，１７ｂ，１７ｃ，１７ｄの順に小さく形成する。連通孔１２の開口面積は、小連通孔１７ａの開口面積以上に形成する。図示は、小連通孔１７ａを連通孔１２に対面させて開口し、小連通孔１７ｂ，１７ｃ，１７ｄを弁体６で閉口した状態であり、流量調節部材１５を反時計回り方向に９０度づつ回転させて弁体６に取り付けることにより、小連通孔１７ｂ，１７ｃ，１７ｄの順に連通孔１２に対面させて開口させることができる。
【００１１】
入口１から流体が流下してくる場合、その流体圧力がほとんど零に等しい場合は弁体６も補助弁体７も共にコイルばね１１，１４に付勢されたままで、環状弁座５と弁体６に着座しており出口３へ流体が通過することはない。流体圧力が上昇して、例えば０．０５から０．１ＫＧ程度になると、ばね定数の小さなコイルばね１４で付勢されている補助弁体７が連通孔１２を開口して、入口１からの流体を小連通孔１７ａから連通孔１２を通して出口３へ流下させる。従って、流体圧力が低い場合であっても、弁体６が開弁する前に補助弁体７が連通孔１２を開口して小連通孔１７ａから連通孔１２を通して入口１と出口３を連通することにより、通過流量を確保することができる。弁体６の連通孔１２を通して入口１から出口３へ流下する流量を少なくする場合は、流量調節部材１５を反時計回り方向に９０度づつ回転させて弁体６に取り付け、小連通孔１７ｂ，１７ｃ，１７ｄの順に連通孔１２に対面させて開口させることにより、流量を順次少なくすることができる。入口１からの流体圧力が更に上昇すると、補助弁体７のみならず弁体６もコイルばね１１のばね力に打ち勝って環状弁座５から離座することにより、リブ９の空間部を介して更に多くの流体を出口３へ流下させる。出口３側の流体圧力が入口１側の流体圧力よりも高くなると、出口３側の流体が入口１側へ逆流しようとするが、その流体流れと圧力により補助弁体７が連通孔１２を閉口すると共に、弁体６が環状弁座５に着座して、入口１側への流体の逆流を防止する。
【図面の簡単な説明】
【００１２】
【図１】本発明のばね付勢逆止弁の実施例を示す断面図である。
【図２】図１の流量調節部材の左側面図である。
【符号の説明】
【００１３】
１  入口
３  出口
５  環状弁座
６  弁体
７  補助弁体
９  リブ
１０  ばね受け
１１  コイルばね
１２  連通孔
１４  コイルばね
１６  流量調節部材
１７ａ，１７ｂ，１７ｃ，１７ｄ  小連通孔
【図１】
2010144754.tif 000003
【図２】
2010144754.tif 000004